(57)【要約】    【課題】  無駄な印刷が行われることを，より効率的に防止できるファクシミリ装置を、提供する、    【解決手段】  ファクシミリ装置を、或るページに関して印刷すべき画像が、黒画素数閾値未満の黒画素しか含まないものであった場合(ステップＳ１１３；ＹＥＳ)、当該ページの印刷を省略する装置（ステップＳ１１４の処理を行わない装置）として構成しておく。また、ファクシミリ装置を、印刷が省略されたページ数Ｎｎをカウント(ステップＳ１１５)し、通信管理情報の要素情報として記憶するようにも、構成しておく。    【選択図】  図５
2005080168.tif 000002
【特許請求の範囲】
【請求項１】
ファクシミリデータを受信する受信手段と、
前記受信手段により受信されたファクシミリデータ内の，１枚の記録紙上に印刷すべき画像を表すデータ毎に、そのデータが、規定数以上の黒画素を含む画像を表すものであるか否かを判断する判断手段と、
この判断手段が前記規定数以上の黒画素を含む画像を表すものであると判断した各データのみについて、それに基づく印刷を記録紙上に行って排出する印刷手段
とを、備えることを特徴とするファクシミリ装置。
【請求項２】
前記印刷手段による印刷が行われなかったデータの数を表す非印刷ページ情報を受信原稿別に出力する非印刷ページ情報出力手段を、さらに備える
とを、備えることを特徴とする請求項１記載のファクシミリ装置。
【請求項３】
前記印刷手段は、前記ファクシミリデータの先頭に含まれる，１枚の記録紙上に印刷すべき画像を表すデータについては、前記判断手段の判断結果に依らず、それに基づく印刷を記録紙上に行って排出する
ことを特徴とする請求項１又は請求項２に記載のファクシミリ装置。
【請求項４】
前記印刷手段が、前記判断手段が前記規定数以上の黒画素を含む画像を表すものであると判断した各データのみについて、それに基づく印刷を記録紙上に行って排出する第１動作モードと、前記ファクシミリデータの，先頭に含まれる前記データについては、前記判断手段の判断結果に依らず、それに基づく印刷を記録紙上に行って排出する第２動作モードとを有し、ユーザによって指定されている動作モードで動作する手段である
ことを特徴とする請求項１又は請求項２に記載のファクシミリ装置。
【発明の詳細な説明】
【技術分野】
【０００１】
本発明は、ファクシミリ装置に関する。
【背景技術】
【０００２】
周知のように、ファクシミリ装置には、ロール紙上に印刷を行うものとカット紙上に印刷を行うものとが、存在している。そして、後者のファクシミリ装置は、その装置に対して通常サイズの１枚の原稿がファクシミリ送信された場合であっても、送信側ファクシミリ装置における原稿搬送が正常に行われなかった場合や送信側ファクシミリ装置にてヘッダ／フッタ情報が付加されていた場合、送信原稿上の情報の大部分が印刷された用紙と、送信原稿の末尾の部分が僅かに印刷された用紙とが排出されることがある装置となっている。
【０００３】
このような現象が生ずると記録紙が無駄に消費されることになる。このため、受信した，１枚の送信原稿分のファクシミリデータの印刷に要する長さが、記録紙（カット紙）の長さを超えていても、記録紙の長さ＋所定値を超えていない場合には、縮小して１枚の用紙上に印刷するファクシミリ装置（例えば、特許文献１参照）が、開発されている。また、受信した，１枚の送信原稿分のファクシミリデータの印刷に要する長さが、記録紙（カット紙）の長さを超えていても、最終ページに印刷すべき部分の長さが所定値よりも短かった場合には、当該部分の印刷を行わないファクシミリ装置（例えば、特許文献２参照）も、開発されている。
【０００４】
上記のように動作するファクシミリ装置を用いれば、無駄な印刷が行われることを一応防止することが出来ることにはなる。しかしながら、縮小印刷するタイプのファクシミリ装置は、縮小により、その一部（或いは全部）の内容が把握できない程度まで、受信原稿の画質が悪化してしまうことがある装置となっている。
【０００５】
一方、最終ページの印刷を省略するタイプのファクシミリ装置は、受信原稿の画質が悪化することはない装置となっている。ただし、このタイプのファクシミリ装置を用いた場合、印刷が省略された最終ページ上に印刷されるはずであった情報をユーザが把握できないという問題が生じることになる。また、ファクシミリ送信時には、１枚の原稿から、通常のファクシミリ装置では、有意な情報が印刷された１枚の記録紙と殆ど何も印刷されていない２枚の記録紙とが排出されることになるファクシミリデータが送信されてしまうこともあるが、このタイプのファクシミリ装置は、そのようなファクシミリデータの受信時、最終ページに印刷すべき部分の長さが上記所定値よりも短かった場合には、有意な情報が印刷された１枚の記録紙と殆ど何も印刷されていない１枚の記録紙とを排出し、そうでなかった場合には、有意な情報が印刷された１枚の記録紙と殆ど何も印刷されていない２枚の記録紙とを排出する装置となっている。
【０００６】
さらに、縮小印刷するタイプのファクシミリ装置、最終ページの印刷を省略するタイプのファクシミリ装置は、いずれも、全て或いは一部の原稿が裏返しにセットされたファクシミリ装置から、通常の長さのファクシミリデータが送信されてきた場合、無駄な印刷が行われてしまう装置となっている。
【特許文献１】特開昭６０−１６３５７０号公報
【特許文献２】特開昭６２−３８６６５号公報
【発明の開示】
【発明が解決しようとする課題】
【０００７】
本発明は、このような現状に鑑みなされたものであり、本発明の課題は、無駄な印刷が行われることを，より効率的に防止できるファクシミリ装置を、提供することにある。
【課題を解決するための手段】
【０００８】
上記課題を解決するために、本発明では、ファクシミリ装置を、ファクシミリデータを受信する受信手段と、受信手段により受信されたファクシミリデータ内の，１枚の記録紙上に印刷すべき画像を表すデータ毎に、そのデータが、規定数以上の黒画素を含む画像を表すものであるか否かを判断する判断手段と、この判断手段が規定数以上の黒画素を含む画像を表すものであると判断した各データのみについて、それに基づく印刷を記録紙上に行って排出する印刷手段とを、備える装置としておく。
【０００９】
すなわち、本発明のファクシミリ装置は、或るページに関して印刷すべき画像が、規定数未満の黒画素しか含まないものであった場合、当該ページの印刷が省略される構成を有する。従って、規定数として適切な値（例えば、ファクシミリ原稿の裏面をスキャンしたデータ中に含まれる黒画素データの数と同程度の値）を設定した本発明のファクシミリ装置を用いれば、有意な情報が印刷された１枚の記録紙と殆ど何も印刷されていない２枚の記録紙とが排出されることになるファクシミリデータの受信時には、有意な情報が印刷された１枚の記録紙のみが排出される環境であって、全て或いは一部の原稿が裏返しにセットされたファクシミリ装置からのファクシミリデータの受信時には裏返しにセットされた各原稿に関する印刷が省略される環境を、実現できることになる。また、本発明のファクシミリ装置では、印刷するか否かの判断を黒画素データの数で判断されるので、印刷に要する長さで判断した場合のように重要なデータが印刷されないといったことが生じないことにもなる。
【００１０】
なお、本発明のファクシミリ装置は、１枚の送信原稿分のデータがファクシミリデータとして取り扱われるようにしても良く、１回の送信原稿（１枚以上の原稿群）分のデータがファクシミリデータとして取り扱われるようにしても良い。また、本発明のファクシミリ装置を実現するに際しては、印刷が省略されたページ数をユーザが理解できるようにするために、印刷手段による印刷が行われなかったデータの数を表す非印刷ページ情報を受信原稿別に出力する非印刷ページ情報出力手段を、付加しておくことが望ましい。
【００１１】
また、本発明のファクシミリ装置を実現するに際しては、印刷手段として、ファクシミリデータの先頭に含まれる，１枚の記録紙上に印刷すべき画像を表すデータについては、判断手段の判断結果に依らず、それに基づく印刷を記録紙上に行って排出する手段を採用しておくことも出来る。なお、そのような印刷手段を採用した場合には、全ての原稿が裏返しにセットされたファクシミリ装置からファクシミリデータが送信されてきたときであっても、１ページだけは印刷が行われるファクシミリ装置（ファクシミリデータを受信したことを当該ページを排出することによってユーザに提示するファクシミリ装置）が、得られることになる。
【００１２】
また、印刷手段として、判断手段が規定数以上の黒画素を含む画像を表すものであると判断した各データのみについて、それに基づく印刷を記録紙上に行って排出する第１動作モードと、ファクシミリデータの，先頭に含まれるデータについては、判断手段の判断結果に依らず、それに基づく印刷を記録紙上に行って排出する第２動作モードとを有し、ユーザによって指定されている動作モードで動作する手段を採用して、本発明のファクシミリ装置を実現しても良い。
【発明を実施するための最良の形態】
【００１３】
以下、本発明を実施するための最良の形態を、図面を参照して詳細に説明する。
【００１４】
まず、図１及び図２を用いて、本発明の一実施形態に係るファクシミリ装置１０のハードウェア構成を、説明する。
【００１５】
図１及び図２に示してあるように、本実施形態に係るファクシミリ装置１０は、制御ユニット１１とスキャナ１２とプリンタ１３とで構成されている。
【００１６】
このファクシミリ装置１０に用いられているプリンタ１３は、コンピュータの周辺機器として使用可能なプリンタに、ファクシミリ装置１０を構成するための（制御ユニット１１とプリンタ１３とを接続するための）拡張ボードを装着した機器である。スキャナ１２は、コンピュータの周辺機器として使用可能なスキャナに、ファクシミリ装置１０を構成するための（制御ユニット１１とスキャナ１２とを接続するための）拡張ボードを装着した機器である。
【００１７】
制御ユニット１１は、スキャナ１２とプリンタ１３と自ユニットとを、ファクシミリ装置１０（ファクシミリの送受信が可能な装置）として動作させるユニットである。制御ユニット１１（図１参照）は、ＣＰＵ２１，ＲＯＭ２２，ＲＡＭ２３，ＥＥＰＲＯＭ２４，通信制御回路２５，画像処理回路２６，ＬＣＤ制御回路２７，入力インタフェース回路（入力Ｉ／Ｆ）２８，ネットワークインタフェース回路（ＮＷ−Ｉ／Ｆ）２９，モデム３０，タッチスクリーン３１，スイッチ部３２等により構成されている。なお、詳細説明は省略するが、本実施形態に係る制御ユニット１１は、スキャナ１２，プリンタ１３及び自ユニットを、コピー機として動作させることや、スキャナ１２及び自ユニットを、デジタル文書作成装置（スキャナ１２にセットされた原稿のイメージデータファイルを他コンピュータ内に作成する装置）として動作させることも可能なユニットとなっている。
【００１８】
この制御ユニット１１を構成しているタッチスクリーン３１は、液晶ディスプレイ（ＬＣＤ）３５上に透明な接触位置センサ３６を重ねた素子である。スイッチ部３２（図２参照）は、制御ユニット１１の筐体上に設けられた押しボタンスイッチ群とＬＥＤ群等からなるユニットである。
【００１９】
ＣＰＵ２１は、ファクシミリ装置１０の各部（制御ユニット１１内の各部、スキャナ１２及びプリンタ１３）を統合的に制御する制御回路である。ＲＯＭ２２は、ＣＰＵ２１の動作手順を規定するプログラムやＣＰＵ２１（プログラム）が利用するデータを記録された読出専用メモリである。ＲＡＭ２３は、ＲＯＭ２２に記録されているプログラムが読み出されるメモリであると共に、ＣＰＵ２１の作業領域（受信したＦＡＸデータ等の一時記憶領域）として用いられるメモリである。なお、このＲＡＭ２３は、バッテリバックアップされたメモリ（制御ユニット１１の電源が落とされても、一定時間の間は、記憶したデータが失われないメモリ）となっている。
【００２０】
ＥＥＰＲＯＭ２４は、ＦＡＸ印刷モード指定情報（詳細は後述），送受信した各ＦＡＸに関する通信管理情報（詳細は後述）等を記憶しておくための不揮発性メモリである。通信制御回路２５は、ＣＰＵ２１が、スキャナ１２或いはプリンタ１３との間で情報交換（コマンドの送信、画像データの受信、印刷データの送信）を行うために使用する回路である。画像処理回路２６は、スキャナ１２によって生成された画像データ（本実施形態では、多値画像データ）に対して各種の画像処理を施すための回路である。
【００２１】
ＬＣＤ制御回路２７は、タッチスクリーン３１（ＬＣＤ３５）に、ＣＰＵ２１から指示された内容の画像（画面）を表示させる回路である。入力インタフェース回路２８は、ユーザ（ファクシミリ装置１０の操作者）がスイッチ部３２或いはタッチスクリーン３１（接触位置センサ３６）に対して行った操作内容を、ＣＰＵ２１に通知する回路である。ネットワークインタフェース回路２９は、制御ユニット１１をＬＡＮに接続するための回路であり、モデム３０は、制御ユニット１１を電話回線網に接続するための回路である。
【００２２】
以下、本ファクシミリ装置１０の動作（制御ユニット１１の動作）を、説明する。
【００２３】
本ファクシミリ装置１０は、受信したファクシミリデータ（以下、ＦＡＸデータとも表記する）に対する処理モード（以下、ＦＡＸ印刷モードと表記する）として、（ａ）受信したＦＡＸデータ通りに印刷を行う白紙非節約モード、（ｂ）印刷結果が白紙に近いもの（詳細は後述）となる各ページについては印刷を省略する第１白紙節約モード、（ｃ）１ページ目については、受信したＦＡＸデータ通りに印刷を行い、２ページ目以降の，印刷結果が白紙に近いものとなる各ページについては印刷を省略する第２白紙節約モードを有する装置となっている。なお、第２白紙節約モードは、全ての原稿が裏返しにセットされたファクシミリ装置が送信したＦＡＸデータ（第２白紙節約モードが指定されている場合には、１ページも印刷が行われないデータ）の受信時にも、ＦＡＸデータが送信されてきたことが、プリンタ１３の排出結果から分かるようにしたいユーザのために用意したモードとなっている。
【００２４】
そして、上記したＦＡＸ印刷モード指定情報（ＥＥＰＲＯＭ２４に記憶されている情報）は、このＦＡＸ印刷モードが、白紙非節約モード，第１白紙節約モード，第２白紙節約モードのいずれであるかを示す情報であると共に、図３に模式的に示したような手順でタッチスクリーン３１を操作することにより、ユーザが設定（変更）可能な情報となっている。
【００２５】
すなわち、制御ユニット１１は、通常の状態では、ＦＡＸ基本画面４０をタッチスクリーン３１上に表示しているので、ＦＡＸ印刷モード（ＦＡＸ印刷モード指定情報）を設定したいユーザは、このＦＡＸ基本画面４０に設けられている“設定”ボタンを押下する。
【００２６】
ＦＡＸ基本画面４０上の“設定”ボタンが押下された場合、制御ユニット１１は、図示してある構成の設定メニュー画面４１をタッチスクリーン３１上に表示するので、ユーザは、この設定メニュー画面４１に設けられている“受信設定”ボタンを押下する。“受信設定”ボタンが押下された場合、制御ユニット１１は、図示してある構成の受信設定画面４２をタッチスクリーン３１上に表示するので、ユーザは、この受信設定画面４２に設けられている“白紙節約モード”ボタンを押下する。
【００２７】
“白紙節約モード”ボタンが押下された場合、制御ユニット１１は、“常に節約しない”ボタン，“常に節約する”ボタン，“２枚目以降のみ節約”ボタン等が設けられているＦＡＸ印刷モード設定画面４３をタッチスクリーン３１上に表示する。そして、制御ユニット１１は、“常に節約しない”ボタン，“常に節約する”ボタン，“２枚目以降のみ節約”ボタンのいずれかが押下された場合、表示中のＦＡＸ印刷モード設定画面４３を、押下されたボタンのみが反転表示されたものに変更する状態となるので、ユーザは、所望のＦＡＸ印刷モードに対応するボタン（白紙非節約モード→“常に節約しない”ボタン，第１白紙節約モード→“常に節約する”ボタン，第２白紙節約モード→“２枚目以降のみ節約”ボタン）を押下することにより、当該ボタンを反転表示させる。
【００２８】
その後、ユーザは、ＦＡＸ印刷モード設定画面４３上の“決定”ボタンを押下する。この“決定”ボタンが押下されると、制御ユニット１１は、その時点において反転表示しているボタンに応じたものに、ＥＥＰＲＯＭ２４上のＦＡＸ印刷モード指定情報を書き換える。また、制御ユニット１１は、タッチスクリーン３１上の画面を受信設定画面４２に変更するので、通常、ユーザは、受信設定画面４２上の“戻る”ボタンを押下した後、当該“戻る”ボタンの押下により表示される設定メニュー画面４１上の“戻る”ボタンを押下することにより、ＦＡＸ基本画面４０がタッチスクリーン３１上に表示されている状態に戻しておく。なお、“通常”と表記したのは、本制御ユニット１１が、ユーザにより何ら操作が行われずにＦＡＸ基本画面４０とは異なる画面を表示している状態が所定時間以上続いた場合、タッチスクリーン３１上にＦＡＸ基本画面４０を表示するユニットして構成されているからである。
【００２９】
次に、本ファクシミリ装置１０（制御ユニット１１）のＦＡＸ受信時の動作を、説明する。
【００３０】
制御ユニット１１は、他のファクシミリ装置から送信されてきたＦＡＸデータを全て（送信原稿枚数分）受信した後、各ＦＡＸデータに関する印刷をプリンタ１３に行わせるユニットであると共に、各ＦＡＸデータに関する印刷をプリンタ１３に行わせるために、図４に示した手順のＦＡＸデータ印刷処理を実行するユニットとなっている。
【００３１】
すなわち、制御ユニット１１は、まず、総ページ数Ｎａ、非印刷ページ数Ｎｎを、それぞれ“０”に初期化する処理（ステップＳ１００）と、印刷残ライン数Ｒを、受信データライン数（ＦＡＸデータ受信時に特定される，受信したＦＡＸデータに含まれていたライン数）に初期化し、印刷開始画素インデックスＳを“０”に初期化する処理（ステップＳ１０１）とを行う。なお、制御ユニット１１は、ステップＳ１００にて、ＦＡＸ印刷モード指定情報をＥＥＰＲＯＭ２４から読み出すことにより、その時点において設定されているＦＡＸ印刷モード（以下、現ＦＡＸ印刷モードと表記する）が、白紙非節約モード，第１白紙節約モード，第２白紙節約モードのいずれであるかを把握する処理も、行う。
【００３２】
また、ステップＳ１００，Ｓ１０１にて初期化されている各情報の具体的な用途（更新手順等）については後述するが、印刷残ライン数Ｒは、未処理のライン数を記憶しておくための情報（変数）であり、印刷開始画素インデックスＳは、次に（今回）処理しなければならない１ページ分の画像データ（画素データ群）の先頭画素データのＲＡＭ２３上での位置（格納場所）を記憶しておくたための情報である。また、総ページ数Ｎａは、処理したＦＡＸデータが何ページ分のデータであったかを記憶しておくための情報であり、非印刷ページ数Ｎｎは、印刷を省略したページ数を記憶しておくための情報である。
【００３３】
その後、制御ユニット１１は、その時点における印刷残ライン数Ｒが、１ページ（１枚）の記録紙上に記録可能な最大ライン数である記録紙ライン数を超えているか否かを判断する（ステップＳ１０２）。 そして、制御ユニット１１は、印刷残ライン数Ｒが記録紙ライン数を超えていた場合（ステップＳ１０２；ＹＥＳ）には、記録紙ライン数を印刷ライン数Ｌとして記憶する（ステップＳ１０４）。一方、印刷残ライン数Ｒが記録紙ライン数を超えていなかった場合（ステップＳ１０２；ＮＯ）、制御ユニット１１は、印刷残ライン数Ｒを印刷ライン数Ｌとして記憶する（ステップＳ１０４）。
【００３４】
その後、制御ユニット１１は、主走査方向画素数（１ラインを構成する画素数）に印刷ライン数Ｌを乗じた値（要するに、今回、印刷する／印刷を省略する画素の総数）を印刷画素数Ａとして記憶する（ステップＳ１０５）。そして、制御ユニット１１は、現ＦＡＸ印刷モードが白紙非節約モードであった場合（ステップＳ１０６；白紙非節約）には、ＲＡＭ２３上に記憶されている，印刷開始画素インデックスＳが示している画素データから始まるＡ個の画素データ群に応じた内容の印刷を記録紙上に行うための処理（ステップＳ１１４）を、行う。すなわち、制御ユニット１１は、それらの画素データ群に応じた画像を１枚の記録紙上に印刷させるためのデータを作成してプリンタ１３に供給する処理を行う。
【００３５】
その後、制御ユニット１１は、印刷残ライン数Ｒから印刷ライン数Ｌを減じ、総ページ数Ｎａに“１”を加算する処理（ステップＳ１１６）を行ってから、印刷残ライン数Ｒが“０”を超えているか否かを判断する（ステップＳ１１７）。そして、制御ユニット１１は、印刷残ライン数Ｒが“０”を超えていた場合（ステップＳ１１７；ＹＥＳ）には、印刷開始画素インデックスＳを、次の画素データを示すものに変更（ステップＳ１１８）した後に、ステップＳ１０２からの処理を再び開始する。
【００３６】
制御ユニット１１は、現ＦＡＸ印刷モードが白紙非節約モードであった場合には、このような処理を印刷残ライン数Ｒが“０”となるまで（ステップＳ１１７；ＮＯ）、繰り返す。そして、制御ユニット１１は、印刷残ライン数Ｒが“０”となったとき（ステップＳ１１７；ＮＯ）に、処理したＦＡＸデータをＲＡＭ２３上から消去する処理（ステップＳ１１９）を行う。また、制御ユニット１１は、ステップＳ１１９にて、ＥＥＰＲＯＭ２４に、当該ＦＡＸデータに関する通信管理情報として、受信開始時刻、送信先ファクシミリ番号等と共に、総ページ数Ｎａ及び非印刷ページ数Ｎｎ（この場合、Ｎｎ＝０）を含む情報を記憶する処理も行う。その後、制御ユニット１１は、印刷すべきＦＡＸデータ（図では、ＦＡＸ原稿データ）が残っていた場合には、ステップＳ１０１からの処理を再び開始し、印刷すべきＦＡＸデータが残っていなかった場合には、このＦＡＸデータ印刷処理を終了する。
【００３７】
一方、ＦＡＸ印刷モードが第１白紙節約モードであった場合（ステップＳ１０６；第１白紙節約）、制御ユニット１１は、今回、処理すべきページ（以下、処理対象ページと表記する）が印刷すべきもの（白紙とみなせないもの）であるか否かを判定するための判定処理（ステップＳ１０８〜Ｓ１１３）を開始する。
【００３８】
具体的には、この判定処理時、制御ユニット１１は、まず、ステップＳ１０８にて、処理対象ページに含まれる黒画素数のカウント結果を記憶するための黒画素カウンタＣを、“０”に初期化し、チェック対象画素を指定する情報を記憶しておくためのチェック画素インデックスＰを、その時点における印刷開始画素インデックスＳと同じ値に初期化する。
【００３９】
次いで、制御ユニット１１は、チェック画素インデックスＰが示している画素データが表している画素（以下、画素Ｐと表記する）が白画素であるか黒画素であるかを判断する（ステップＳ１０９）。そして、制御ユニット１１は、画素Ｐが白画素であった場合（ステップＳ１０９；ＹＥＳ）には、チェック画素インデックスＰに“１”を加算する（ステップＳ１１２）。その後、制御ユニット１１は、チェック画素インデックスＰの値が、Ｓ＋Ａ（印刷開始画素インデックスＳと印刷画素数Ａとを加算した値）を超えているか否かを判断する（ステップＳ１１３）。
【００４０】
一方、画素Ｐが黒画素であった場合（ステップＳ１０９；ＮＯ）、制御ユニット１１は、黒画素カウンタＣに“１”を加算（ステップＳ１１０）した後に、黒画素カウンタＣが、予め設定されている黒画素数閾値を超えているか否かを判断する（ステップＳ１１１）。なお、本制御ユニット１１は、この黒画素数閾値として、各種紙質のＦＡＸ原稿の裏面等をスキャンすることにより得たイメージデータ中の黒画素数のカウント結果の最大値相当の値を用いたユニットとなっている。
【００４１】
そして、制御ユニット１１は、黒画素カウンタＣが閾値を超えていなかった場合（ステップＳ１１１）には、画素Ｐが白画素であった場合と同様に、ステップＳ１１２からの処理を行う。
【００４２】
制御ユニット１１は、この判定処理（ステップＳ１０８〜Ｓ１１３の処理）を、Ｃ＞黒画素数閾値が成立した場合（ステップＳ１１１：ＹＥＳ）、又は、Ｐ＞Ｓ＋Ａが成立した場合（ステップＳ１１４：ＹＥＳ）に、終了する。そして、制御ユニット１１は、Ｃ＞黒画素数閾値が成立した（ステップＳ１１１：ＹＥＳ）ことにより判定処理を終了した場合には、ステップＳ１１４以降の処理を開始する。一方、Ｐ＞Ｓ＋Ａが成立した（ステップＳ１１３：ＹＥＳ）ことにより判定処理を終了した場合、制御ユニット１１は、非印刷ページ数Ｎｎに“１”を加算する処理（ステップＳ１１５）を行った後、ステップＳ１１６以降の処理を開始する。
【００４３】
要するに、制御ユニット１１は、第１白紙節約モードでの動作が指示されている状態では、処理対象ページが、黒画素数閾値よりも多い数の黒画素の描画が必要なものであることが確認できた時点（ステップＳ１１１：ＹＥＳ）で、処理対象ページを印刷するための処理を開始し、処理対象ページが、黒画素数閾値よりも多い数の黒画素の描画が必要なものでなかった場合（ステップＳ１１３：ＹＥＳ）には、印刷を省略したページが増えたことを記憶するための処理を行った後に、処理対象ページの印刷を行うことなく、次のページの処理を開始するユニットとなっている。
【００４４】
また、制御ユニット１１は、第２白紙節約モードでの動作が指示されている状態（ステップＳ１０６；第２白紙節約）では、この流れ図から明らかなように、１ページ目（Ｎａ＝０：ステップＳ１０７；ＹＥＳ）については、判定処理を行うことなく印刷（ステップＳ１１４の処理）を行い、２ぺージ目以降の各ページ（Ｎａ≠０：ステップＳ１０７；ＮＯ）については、第１白紙節約モード時と同様の手順で印刷／印刷の省略を行うユニットとなっている。
【００４５】
次に、図５及び図６を用いて、制御ユニット１１に付与されている通信管理情報の出力機能を、説明する。
【００４６】
受信したＦＡＸデータについて、印刷されていないページが存在しているか否かを確認したい場合、ユーザは、図５に模式的に示してあるように、まず、ＦＡＸ基本画面４０に設けられている“通信管理”ボタンを押下する。
【００４７】
ＦＡＸ基本画面４０上の“通信管理”ボタンが押下された場合、制御ユニット１１は、図示してある構成の通信管理画面４４をタッチスクリーン３１上に表示する。通信管理情報を印刷させたい場合、ユーザは、この通信管理画面４４上の“通信管理レポート”ボタンを押下する。“通信管理レポート”ボタンが押下されると、制御ユニット１１は、タッチスクリーン３１上に管理項目印刷画面４５を表示した後、図６に例示したように、受信（着信）している各ＦＡＸデータに関して、ＦＡＸデータ印刷処理時により求められた総ページ数Ｎａの値（図６において、“枚数”という文字の下に示されている値）と、非印刷ページ数Ｎｎの値（図６において、“（白紙）”という文字の下に、括弧で括られた形で示されている値）とが示された通信管理レポートをプリンタ１３に印刷させるための処理を開始するので、ユーザは、この通信管理レポートの内容を見ることにより、受信された各ＦＡＸデータについて、印刷が省略されたページがあるか否かを確認することも出来る。
【００４８】
また、制御ユニット１１は、通信管理画面４４（図５）上の“通信履歴表示”ボタンが押下されると、ボタン４６ａ，４６ｂを操作することにより、任意のＦＡＸデータに関する通信管理情報（白紙枚数等）をユーザが確認できる通信履歴表示画面４６をタッチスクリーン３１上に表示するようにも構成されている。このため、ユーザは、この通信履歴表示画面４６を表示させることにより、印刷が省略されたページがあるか否かを確認することも出来る。
【００４９】
以上、説明したように、本実施形態に係るファクシミリ装置１０は、或るページに関して印刷すべき画像が、黒画素数閾値未満の黒画素しか含まないものであった場合、当該ページの印刷が省略される装置となっている。従って、このファクシミリ装置１０を用いれば、有意な情報が印刷された１枚の記録紙と殆ど何も印刷されていない２枚の記録紙とが排出されることになるファクシミリデータの受信時には、有意な情報が印刷された１枚の記録紙のみが排出される環境であって、全て或いは一部の原稿が裏返しにセットされたファクシミリ装置からのファクシミリデータの受信時には裏返しにセットされた各原稿に関する印刷が省略される環境を、実現できることになる。また、ファクシミリ装置１０は、印刷するか否かの判断を黒画素データの数で判断する装置であるので、このファクシミリ装置１０を用いれば、印刷に要する長さで判断した場合のように重要なデータが印刷されないといったことが、生じないことにもなる。
【００５０】
また、ファクシミリ装置１０には、印刷を省略したページ数を原稿別に出力する機能が付与されているので、本ファクシミリ装置１０のユーザは、当該機能を利用して、印刷が省略されたページの有無等を確認できることにもなる。
【００５１】
＜変形形態＞
上記したファクシミリ装置１０は、各種の変形が可能である。例えば、ファクシミリ装置１０は、３種の装置としても機能する装置であったが、ファクシミリ装置１０を、ファクシミリとしてのみ機能する装置や、ファクシミリ及びコピー機として機能する装置に変形しても良い。
【００５２】
また、上記したような白紙節約が送信原稿毎に行われるように、ファクシミリ装置１０を変形しておくことも出来る。なお、そのようなファクシミリ装置１０は、図４のステップＳ１０７にて、Ｓ＝０であるか否かが判断されるようにすることにより、実現することが出来る。
【００５３】
また、ファクシミリ装置１０は、３つの装置(制御ユニット１１，スキャナ１２及びプリンタ１３)が組み合わされた装置であったが、ファクシミリ装置１０と同等の機能を有する装置を、１つの装置で実現しても良く、４つ以上の装置(例えば、組み合わせることによりコピー機として機能する３つの装置と、それらの装置からなる装置に、ファクシミリとしての機能を付加できる装置)で実現しても良い。
【００５４】
さらに、ファクシミリ装置１０を、ＦＡＸデータの受信が完了する前に、印刷を開始する装置に変形しておいても良いことや、ファクシミリ装置１０に表示させる各種画面の具体的な構成を、上記したものと異なるものとしておいても良いことは、当然のことである。
【図面の簡単な説明】
【００５５】
【図１】本発明の一実施形態に係るファクシミリ装置の構成図である。
【図２】実施形態に係るファクシミリ装置の外観図である。
【図３】実施形態に係るファクシミリ装置の操作手順の説明図である。
【図４】実施形態に係るファクシミリ装置が実行するＦＡＸデータ印刷処理の流れ図である。
【図５】実施形態に係るファクシミリ装置の操作手順の説明図である。
【図６】実施形態に係るファクシミリ装置が印刷する管理レポートの説明図である。
【符号の説明】
【００５６】
１０  ファクシミリ装置、１１  制御ユニット、１２  スキャナ、１３  プリンタ
【図１】
2005080168.tif 000003
【図２】
2005080168.tif 000004
【図３】
2005080168.tif 000005
【図４】
2005080168.tif 000006
【図５】
2005080168.tif 000007
【図６】
2005080168.tif 000008